(57)【要約】【課題】ワイヤーが細線化された場合にもワイヤー流れが起こりにくい封止成形体が得られる封止成形装置及びそれを用いた封止成形体の製造方法を提供すること。【解決手段】型締機構及び成形プランジャの進退機構を有する成形装置である。下型キャビティ部４には、成形プランジャ３が後退した状態で先端面３ａの上部に封止樹脂を受け入れる樹脂受入部７を形成するとともに、成形プランジャ３が前進した状態で先端面が樹脂受入部に供給された封止樹脂を圧縮しつつ下型キャビティの底成形面を形成して成形する圧縮成形用の成形プランジャ３が進退可能に装填される下型１と、該下型１と型締機構６により型締め可能な上型２とから構成される金型と、該金型が開かれた状態で、前記樹脂受入部７に攪拌溶融された封止用樹脂ＭＲを供給する樹脂供給装置２０を備えている。【選択図】図１
2004296962.tif 000002
【特許請求の範囲】
【請求項１】
型締機構及び成形プランジャの進退機構を有する成形装置であって、下型キャビティ部には、前記成形プランジャが後退した状態で先端面の上部に封止樹脂を受け入れる樹脂受入部を形成するとともに、前記成形プランジャが前進した状態で先端面が樹脂受入部に供給された封止樹脂を圧縮しつつ下型キャビティの底成形面を形成して成形する圧縮成形用の成形プランジャが進退可能に装填される下型と、
該下型と型締機構により型締め可能な上型とから構成される金型と、
該金型が開かれた状態で、前記樹脂受入部に攪拌溶融された封止用樹脂を供給する樹脂供給装置とを備えていることを特徴とする封止成形装置。
【請求項２】
請求項１に記載の装置を用い、
（ａ）金型が開かれた状態で封止用の樹脂を樹脂受入部に攪拌した状態で供給する樹脂供給工程、
（ｂ）型締機構により上型と下型との型締めを行う型締工程、
（ｃ）成形プランジャの先端面を成形面まで上昇させて樹脂受入部に受け入れた溶融樹脂により半導体デバイスを封止して硬化させる圧縮成形工程、
（ｄ）金型を開放し、得られた樹脂封止体を取り出す脱型工程を順次行うことを特徴とする樹脂封止体の製造方法。
【発明の詳細な説明】
【０００１】
【発明の属する技術分野】
本発明は、トランジスターやＩＣなどの半導体デバイスを樹脂で封止した樹脂封止体を製造するための封止成形装置及びそれを用いた樹脂封止体の製造方法に関する。
【０００２】
【従来の技術】
トランジスターやＩＣなどの半導体デバイス（半導体チップ）を樹脂で封止して樹脂封止体（いわゆるパッケージ又は樹脂封止型半導体装置）を効率よく成形する方法としてトランスファモールド装置を用いたトランスファ成形が広く利用されている（例えば、特許文献１など。）。
【０００３】
この方法は、エポキシ樹脂および充填剤などを主体としたエポキシ成形材料等の未硬化樹脂（以下、単に樹脂という。）を、加熱して溶融させ、トランスファ成形機を用いて金型に注入し、高温高圧状態で成形して硬化することにより、例えばリードフレームに搭載された半導体チップを封止する方法である。
【０００４】
この方法で製造される樹脂封止型半導体装置（樹脂封止体）は、半導体チップをエポキシ樹脂組成物が完全に覆うため信頼性に優れており、また金型で緻密に成形するためパッケ―ジの外観も良好であることから、現在ではほとんどの樹脂封止型半導体装置はこの方法で製造されている。
【０００５】
このトランスファモールド装置による成形では、ポットに封止すべき熱硬化性樹脂のタブレットが投入され、ポットで受けた樹脂は溶融されつつ型キャビティ部に送給される。封止用樹脂が型キャビティ部内に十分に充填された状態で硬化（キュア）が進行されて樹脂封止体が成形される。
【０００６】
これに対して、ボンディングワイヤを介して外部リード構成体に接続された半導体チップの少なくとも能動面側に未硬化樹脂からなる封止用樹脂シートを配置し、封止用樹脂シートを半導体チップに対して加圧しながら硬化させて半導体チップの封止を行う封止工程を備えた樹脂封止型半導体装置の製造方法（以下、これを圧縮成形による方法と略称する場合がある。）が提案されている（例えば、特許文献２）。
【０００７】
また、シート状の樹脂Ｒを直接キャビティ内で成形するにあたり、図１２に示すように、下型１、上型２に成形プランジャ３、３´が配置され、成形プランジャ３、３´で圧縮成形する方法が提案されている（例えば、特許文献３）。また、このプランジャ３は、図１３に示すように、下型１にのみ設けられている場合もある。
【０００８】
下型１のキャビティ成形部４には、キャビティの下底面が先端面３ａとなるような成形プランジャ３が摺動可能に設けられている。また、上型２のキャビティ成形部４には、キャビティの上底面が先端面３´ａとなるような成形プランジャ３´が摺動可能に設けられている。
【０００９】
このような装置では、シート状樹脂ＳＲが夫々リードフレームＦ上面と下型１のキャビティ成形部４に載置及び投入される。シート状樹脂ＳＲは、上型２及び下型１に当接するとすぐに溶融し始める。シート状樹脂ＳＲを下型１内に投入すると上型２は、リードフレームＦと共に下降し続け、下型１との間でリードフレームＦを挟み型締めを行い、型締め完了と同時に、上型３内の成形プランジャ３´が所定位置まで下降（後退）し停止する。次に、下型１内の成形プランジャ３が上昇（前進）し、樹脂を圧縮成形してリードフレームＦの半導体デバイスＨが樹脂により封止された封止成形体Ｐを得ることができる。
【００１０】
そして、このような圧縮成形による方法によれば、封止工程の自動化、インライン化が可能で、しかもパッケージの大型化、薄型化に適し、パッケージ精度が高くかつパッケージの高信頼性の要求にも対応した樹脂封止型半導体装置の製造方法として利用できることが提案されている。
【００１１】
【特許文献１】
特開平８−１１１４６５号公報（従来技術の欄及び図１９）
【特許文献２】
特開平６−２７５７６７号公報（図１０、図１１）
【特許文献３】
特開平８−３３０３４２号公報（図１３、図１４）
【００１２】
【発明が解決しようとする課題】
しかしながら、特許文献１に記載のトランスファー成形装置によれば、高価な樹脂材料からなる樹脂タブレットにおいて、かなりの部分が不要な硬化樹脂として廃棄される。しかも、樹脂タブレットは、本来封止樹脂として使用されることを前提として製造されているので、廃棄される硬化樹脂も、封止樹脂に対する要求を満たすだけの充分な高品質を有している。したがって、高品質な樹脂を廃棄することになり、コスト面のみならず資源の有効利用という観点からも課題がある。
【００１３】
また、樹脂タブレットの大きさ（外径）に応じてカル部，ランナ部がそれぞれ設計されている。したがって、樹脂タブレットについて、廃棄される部分を低減し、全体に対する封止樹脂して使用される部分の比率、つまり樹脂歩留りを向上させようとしても、一定の限界がある。
【００１４】
また、このようなトランスファー成形装置によれば、型キャビティの大きさが異なる毎に異なる大きさの樹脂タブレットを使用しなければならない。これにより、複数種類の樹脂タブレットを在庫しておく必要があり、樹脂タブレットの在庫管理が煩雑になる。
【００１５】
また、このような樹脂タブレットのそれぞれの大きさに対応する搬送及び投入機構を準備する必要があり、樹脂封止装置の小型化と機構の簡素化とを阻害していた。
【００１６】
一方、特許文献２及び特許文献３に記載の圧縮成形による方法によれば、カル、ランナー及びゲートが不要となるため、カル樹脂などに基づく不要樹脂の樹脂廃棄量が無くなる。また、カル部、ランナー部、ゲート部が不要となるので金型及び装置全体のコンパクト化が可能であるという特徴を備えている。
【００１７】
しかしながら、近年半導体装置の高集積化に伴う半導体チップの大型化によって、樹脂封止型半導体装置のパッケ―ジについても大型化が進む一方、実装スペースの微細化に伴いパッケージに用いるワイヤーの細線化及び高密度化がなされており、この傾向は今後益々強くなっていくと考えられる。
【００１８】
ここで、従来の圧縮成形による方法によればワイヤー流れが発生するという課題がある。これにより、ワイヤーが一層、細線化された場合に対応可能な高信頼性の封止成型装置又は封止成形体の製造方法は提案されていない。特に封止成形体の細線化が進み、ワイヤの径が２０μｍ程度で長さが数ミリメートルのセミハード金線を用いた場合、ボンディングワイヤーが変形を起こし、隣接するボンディングワイヤーとの接触が生じやすい。この問題は、フィルムキャリアなどのリードの先端にバンプ等を介して直接、チップとの電気的接続を行う、いわゆるインナーリードボンディング法を採用した場合においても問題である。
【００１９】
そこで、本発明は、ワイヤーが細線化された場合にもワイヤー流れが起こりにくい封止成形体が得られる封止成形装置及びそれを用いた封止成形体の製造方法を提供することを課題とする。
【００２０】
また、本発明は、樹脂タブレットを不要とし、封止成形装置の小型化と簡素化とを図るとともに、高品質な樹脂の廃棄量を減らして製造コストの削減と樹脂の有効利用とを図ることができる封止成形装置及びそれを用いた封止成形体の製造方法を提供することを課題とする。
【００２１】
【課題を解決するための手段】
本発明者等の研究によれば、従来の圧縮成形を用いる方法において、下型キャビティ部の下方に封止樹脂を受け入れる樹脂受入部を設け、この樹脂受入部に攪拌溶融した樹脂を受け入れた後、この受け入れた樹脂を半導体デバイスの下面から供給して封止を行えばワイヤーが細線化された場合でもワイヤー流れが少なく、封止が行えることを見出し本発明に到達した。
【００２２】
すなわち、本発明は、型締機構及び成形プランジャの進退機構を有する成形装置であって、下型キャビティ部には、成形プランジャが後退した状態で先端面の上部に封止樹脂を受け入れる樹脂受入部を形成するとともに、成形プランジャが前進した状態で先端面が樹脂受入部に供給された封止樹脂を圧縮しつつ下型キャビティの底成形面を形成して成形する圧縮成形用の成形プランジャが進退可能に装填される下型と、該下型と型締機構により型締め可能な上型とから構成される金型と、該金型が開かれた状態で、前記樹脂受入部に攪拌溶融された封止用樹脂を供給する樹脂供給装置とを備えていることを特徴とする封止成形装置である。
【００２３】
このような封止成形装置によれば、（ａ）金型が開かれた状態で封止用の樹脂を樹脂受入部に攪拌溶融された状態で供給する樹脂供給工程、（ｂ）型締機構により上型と下型との型締めを行う型締工程、（ｃ）成形プランジャの先端面を成形面まで上昇させて樹脂受入部に受け入れた溶融樹脂により半導体デバイスを封止して硬化させる圧縮成形工程、（ｄ）金型を開放し、得られた樹脂封止体を取り出す脱型工程を順次行うことにより、ワイヤー流れの少ない封止成形体を製造することができる。
【００２４】
また、このような製造方法によれば、カル、ランナー及びゲートが不要となるため、使用樹脂量の削減が可能となるのみならず、金型のコンパクト化、装置のコンパクト化が可能となり、さらにコスト削減も可能となる。
【００２５】
また、本発明に従えば、金型に供給される樹脂は攪拌溶融されているので、金型内でのプレヒート時間が削減でき、生産サイクルを向上させることができる。
【００２６】
また、樹脂供給装置に供給される封止用の樹脂は、粉末状、顆粒状でよく、シート状、樹脂タブレット状である必要がないので、封止用樹脂の成形工程が不要であり、また、樹脂タブレットの使用する場合の在庫管理の必要がない。
【００２７】
【発明の実施の形態】
以下、本発明の具体的な実施の形態について図面を参照しつつ説明する。なお、従来技術で説明した封止成形装置と同一乃至均等な部位部材については、同一符号を付して説明する。
【００２８】
図１は、この発明の実施の形態に係る封止成形装置に用いる下型としての下型キャビティブロックを説明する平面図であり、図２は、図１のＸ−Ｘ線で切断した際の断面図である。
【００２９】
この図において、符号１は下型又は下型に対して交換可能に装備される下型キャビティブロックであり、中央に製品成形部としてのキャビティ成形部（モールド部）４が設けられている。このモールド部４の底面４ａの略中央部は円筒状に貫通され、その貫通部５には上下に移動可能な成形プランジャ３が装填されている。この成形プランジャ３の先端面３ａが底面４ａと同一高さであるとき、下型キャビティ部はモールド部４と等しくなる。
【００３０】
この成形プランジャ３は、圧縮成形用の進退機構６により進退可能とされている。この進退機構６は特には限定されないが、例えば、サーボモータ、エンコーダなどにより、その進退量が正確に制御できるものが用いられている。不図示のサーボモータの回転に制御されてタイミングベルトなどによりボールネジを回転させてサーボモータの回転を上下動に変換する。成形プランジャ３の先端面３ａ位置は、サーボモータの回転数をエンコーダにより位置制御しつつ所望の位置に成形プランジャ３を進退させることができる。
【００３１】
ここで、圧縮成形用とは、圧縮成形に必要な圧力を保持できる進退機構という意味であり、圧力を制御する必要がある場合には、任意の位置に圧力センサーなどの圧力検出器を介して成形圧を制御できる機構を備えているものとする。このような圧力制御機構は公知であり、例えば、成形プランジャ３と進退機構６との間にロードセルなどの圧力検出器を介在させて圧力検出器により検出された圧力により必要な圧力を保持することができる。
【００３２】
成形プランジャ３の先端面３ａの位置をモールド部４の下面４ａの位置（以下、型合わせ位置という。）から後退させることにより、この先端面３ａ上に樹脂を受け入れる樹脂受入部７を形成することができ、この図２では、成形プランジャ３は後退されて先端面３ａの上に樹脂受入部７が形成されている。
【００３３】
ここで、この発明においては、この樹脂受入部７に攪拌溶融された所定量の封止用樹脂が供給される。
【００３４】
本発明において使用される封止用樹脂は特には限定されないが、樹脂供給装置において加熱されて攪拌された状態で供給されるので、加熱された射出ユニットやシリンダー内での熱安定性の良好なものであって、モールド部４内で流動性が特に良好で速やかに硬化するものが望ましい。このような封止用樹脂は公知であり、例えば、特開平８−６７７４１号公報、特開平８−６７７４２号公報、特開平８−６７７４５号公報に示されるようなエポキシ樹脂、フェノール樹脂硬化剤、硬化促進剤、無機質充填材を必須成分として含有する、エポキシ樹脂封止材料がその一例として例示される。このような封止用樹脂は、粉末又は顆粒状のものがそのまま利用できる。
【００３５】
この封止用樹脂の供給は、このような封止用樹脂（熱硬化性樹脂）を射出成形により封止するために開発された射出成形装置の射出装置（又は射出ユニット）が利用できる。そのような射出装置は、例えば、特開２００２−２１０７７８に開示される粉末状又は顆粒状のエポキシ樹脂封止材料を供給し、スクリュー機構で均一混練・溶融し、型締めユニットにより型締めされた金型に対して進退自在に設けられた射出ユニットである。また、特開２００１−１８９３３３号公報に記載されるスクリューインライン方式の射出ユニット、特開２０００−６８４１６に開示される粉末状又は顆粒状のエポキシ樹脂封止材料を供給し、スクリュー機構で均一混練・溶融し、スクリュー又はプランジャでキャビティ内に射出する射出ユニットであってもよい。温度コントロールの容易さ、溶融の均一化等の点からスクリューインライン式が好ましい。
【００３６】
本発明において、樹脂供給装置は基本的には、スクリュウ式、インラインスクリュウ式などの攪拌装置と、加熱装置とプランジャ式などの射出装置（又は押出装置）を備えた射出装置（又は射出ユニット）であればよい。また、射出成形装置では、封止用樹脂の流れの問題から射出速度が制限されているが、本発明によれば、この射出速度は特には問わない。射出により攪拌された樹脂が金型に供給できればよい。
【００３７】
この発明においては、封止用樹脂は均一に攪拌溶融されていることがよい。このために本発明においては、加熱装置、攪拌装置及び射出装置を備えた樹脂供給装置が好ましく用いられる。攪拌及び溶融された樹脂は、粉末又は顆粒状などの固体の樹脂材料が加熱と攪拌とにより溶融された低粘性の流動状態となる。
【００３８】
供給される樹脂の粘度が高い場合には、成形サイクルを早めると、半導体素子上のボンデイングワイヤの変形、切断が生起したり、ダイオード等では内部素子の電気性能の低下等を起こす可能性がある。一方、供給される樹脂の粘度に下限はないが、必要な封止性能を与える樹脂で８０℃〜１２０℃に加熱された場合の粘度の下限値がこの程度であるということを示している。
【００３９】
本発明においては、金型に加熱された樹脂が供給されることにより成形サイクルを短縮させて生産性を向上させることができる。また、本発明においては、ワイヤー流れなどが発生し難い低粘性の流動状態となった樹脂を金型に供給することができる。このような樹脂供給装置の好適な一例は、特開２００１−３４１１５５号公報に詳細に述べられている。
【００４０】
この樹脂供給装置は、例えば、樹脂材料を貯留したホッパ下部の計量管内にスクリュを挿入した計量手段を介して下方に配列された各計量ポットに所定量の樹脂材料の装填を可能とした計量ユニットと、配列された計量ポットと、このポットと並列に配置された複数の撹拌カップとの間で樹脂材料を授受させた撹拌カップにプランジャを挿着させた撹拌手段を介して先端から撹拌棒を突出させた各プランジャの回転で撹拌を可能とした撹拌ユニットと、正逆動可能なモータに軸着するプーリやベルトを設けた移動手段を介して計量ユニットから成形金型に至る間を撹拌ユニットの進退動を可能とした移動ユニットと、正逆動可能なモータに軸着するプーリやベルトを設けた上下動手段を介して、撹拌カップ内の樹脂材料を成形金型の金型ポットに向けて、プランジャでの押し出し供給を可能とした供給ユニットとから構成されている。
【００４１】
ここで、本発明においては、金型ポットを備えた成形金型に代えて成形面をプランジャの先端面３ａとし、先端面３ａの上に樹脂受入部７を設けた圧縮成形装置が用いられる。樹脂受入部７に上述の加熱されて攪拌された樹脂を受け入れた後、型締めされ、成形プランジャ３を所定位置まで上昇させることにより加熱され硬化して成形が完了される。従来のシート状の樹脂を投入する圧縮成形法に比較してワイヤー流れの発生しがたい成形方法が提供される。
【００４２】
ここで、圧縮成形装置又は樹脂受入部７が移動ユニットなどにより供給ユニットへ向けて提供できれば、この特開２００１−３４１１５５号公報に述べられている移動ユニットは不要となる。このような圧縮成形装置又は下型はターンテーブルを利用したり、進退可能な移動ユニット、一方向に流れる移動ユニットなどを利用することにより半導体製造装置のラインに組み込むことができる。もちろん、本発明においては、樹脂供給装置と樹脂受入部７とが互いに固定された構造であってもよい。
【００４３】
以下、この樹脂材料の供給装置により、下型キャビティブロック１に攪拌された樹脂を供給して成形する封止成形装置及び封止成形体の製造方法について説明する。
【００４４】
この樹脂材料Ｒの供給装置を備えた封止成形装置２０は、図３〜図６に示すように、ホッパ２２に貯留された樹脂材料Ｒを、スクリュ２４回転により計量管２４ａ内に導き、この管２４ａ内でスクリュ回転数により計量して、計量ポット２５内に装填させる計量ユニット２１と、計量された樹脂材料Ｒを、計量ポット２５と撹拌カップ３２との間で授受させ、この攪拌カップ３２に、撹拌棒３３ａを先端から突出させたプランジャ３３を挿着させ回転させて、撹拌溶融させる撹拌ユニット３１と、この撹拌ユニット３１を作動させながら、成形金型（下型）６１に向けて移動させる移動ユニット５１と、撹拌ユニット３１が移動され、下型６１に交換可能にセットされた下型ブロック１の樹脂受入部７上に撹拌カップ３２が位置した時点で、撹拌ユニット３１に装着したプランジャ３３を作動させて、溶融された撹拌カップ３２内の樹脂材料を、樹脂受入部７に供給する供給ユニット４１とを備えている。
（ａ）樹脂供給工程
計量ユニット２１の計量部２１Ａに供給された粉体状や顆粒状の樹脂材料Ｒは、撹拌ユニット３１、移動ユニット５１、供給ユニット４１が、それぞれ一連の動作を行って、下型６１に所定量が攪拌及び溶融された状態となって供給される。
【００４５】
これらの一連の動作は、計量ユニット２１では、ホッパ２２に供給された樹脂材料Ｒはホッパ２２内で、計量用モータ２３の作動で回転されるスクリュ２４の周囲で、崩しピン２２ｃも回転して樹脂材料Ｒがブリッジすることなく崩され、スクリュ２４に噛み込み易く供給される。このスクリュ２４が計量管２４ａの中で、所定の回転数で所定量を計量し、計量部２１Ａからポット部２５Ａの計量ポット２５内に装填される。
【００４６】
送り用モータ２７の作動で、計量部２１Ａは各計量ポット上端面２５ａ上に移動しながら、全ての計量ポット２５を樹脂材料Ｒで装填させる。
【００４７】
各計量ポット２５が装填されると、ポット移動用シリンダ２８を作動させて、ポット部２５Ａを右方向に移動させ、カップ移動用モータ３３も作動させて、撹拌カップ３２が迎えるように左方向に移動して、計量ポット２５の下部で開閉用シリンダ２６を作動させてシャッタ板２６ａを開き、計量された樹脂材料Ｒを授受する。つづけて、右方向に戻るように移動して、プランジャ３７下に位置させる。
【００４８】
ついで、四つの撹拌棒用シリンダ３６ａが作動して、撹拌棒３７ａをプランジャ３７の先端より突出させ、つづけて、ギア３８ａを軸着させた撹拌用モータ３８を作動させ、各プランジャ３７に軸着させた各ギヤ３８ｂを介して、プランジャ３７を回転させて撹拌カップ３２内の樹脂材料Ｒを撹拌して溶融させる。ここで、この撹拌カップ３２は温度は用いる樹脂材料Ｒにより適宜に設定されるが、最も一般的には８０℃〜１２０℃の範囲内で加熱されている。
【００４９】
撹拌ユニット３１では撹拌しながら、迅速に移動ユニット５１の移動用モータ５２を作動させて、タイミングベルト５４を前方に向けてリミットスイッチ５６ａの制動される位置に移動する。
【００５０】
撹拌溶融が終了すると、撹拌用シリンダ３６ａを作動させて、可動板４４を上昇させ撹拌棒３７ａをシリンダ３７内に引き込んで埋没させる。
【００５１】
そして、撹拌ユニット３１の停止位置で、この撹拌ユニット３１に組み込まれている供給ユニット４１を作動させる。
【００５２】
すなわち、上下動用モータ４５を作動させて、軸着されているプーリ４５ａ・ベルト４５ｂを介して、ボールねじ４２を回転させ下動するボールねじナット４３に、下連結板３６で装着されている各プランジャ３７を一気に下降させて、撹拌カップ３２内で溶融された溶融樹脂ＭＲを下型６１に設けた樹脂受入部７に供給する。
【００５３】
この樹脂受入部７に供給された溶融樹脂ＭＲの温度は、使用する樹脂材料Ｒの種類により異なるが、金型温度が１７０℃〜１８０℃（例えば、１７５℃程度）である最も一般的な場合には、攪拌ポット３２の温度と略同一の８０℃〜１２０℃の範囲内であり、その際の粘度は大略５０Ｐａ・ｓ〜３５０Ｐａ・ｓの範囲内にある。また、この樹脂は、攪拌され、均一化されており、粘性が低いので、樹脂受入部７に供給された溶融樹脂ＭＲは金型の温度で一層加熱されつつ、平面方向に素早く展開される（図７）。
【００５４】
一方、この実施の形態では、供給の完了した撹拌ユニット３１は、移動用モータ５２の逆転作動で、タイミングベルト５４を後方に向けて移動させ、リミットスイッチ５６ａの制動で停止しする、計量ユニット２１のポット部２５Ａの位置まで、後方に向けて移動し、次の樹脂供給工程に備える。
（ｂ）型締工程
ついで、不図示のリードフレームの集積・整列・搬出を行うインローダを介してプレヒートされたリードフレームＦをモールド部４に位置決めして下型表面１ａ上にロードする（図７）。ここで、この実施例ではプラスチックフィルムＦの片面に半導体デバイスＨを保持したＣＳＰが用いられ、封止すべき面を下面に向けてロードされる。上型２又は下型１の少なくとも一方を昇降させて型締めを行う型締機構により金型を閉じる（図８）。
（ｃ）圧縮成形工程
ついで、図９に示すように、進退機構６を駆動させて成形プランジャ３の先端面３ａを型合わせ位置（成形面）まで上昇（前進）させつつ圧縮成形を行う。これにより、樹脂受入部７に供給された溶融樹脂ＭＲはモールド部４に向けて流動する。金型の温度は１８０℃にセットされているので、樹脂温度が１７５℃となると、溶融樹脂ＭＲの粘度は例えば、３〜２０Ｐａ・ｓに一層低下する。
【００５５】
また、溶融樹脂ＭＲの流れの方向は、封止すべき半導体デバイスＨの下方から封止するので、ＣＳＰのような封止部材では、ワイヤーＷを含む封止部材中を移動する溶融樹脂の距離が短くてよく、従って、ワイヤーＷを横切る溶融樹脂ＭＲの流速が遅いので、ワイヤーＷが細線化された場合にもワイヤー流れが生じることが少ない。これによりワイヤー流れを起こすことなく溶融樹脂ＭＲにより半導体デバイスＨを封止することができる。この状態を所定時間（例えば、数秒から数十秒）保持することにより封止樹脂は熱により硬化される。
【００５６】
ここで、これらの金型温度、圧力及び保持時間は、用いる樹脂の性能、金型の大きさ、パッケージの大きさなどにより異なるので、最適の条件が実験などにより適宜決定され、温度、圧力、硬化保持時間などは上述の一例に限定されることはない。
【００５７】
なお、このような装置によれば、圧縮成型された半導体装置（製品Ｐ）は、下型１内の成形プランジャ３によって成形された面３ａ´は、樹脂量バラツキによって上下し、プランジャ３の先端面３ａの形状に沿った凹（又は凸）マークが形成される。ここで、この実施例では、（図１０）に示すように、プランジャ３の先端面３ａの外形状がキャビティ部４の底面４ａの外形状から僅かに小さく設計されているので、この凹凸マークは半導体デバイスの周縁にフリンジ状に形成され、実質的に製品の性能に影響しない位置に形成されている。プランジャ３の先端面３ａの形状をキャビティ部４の底面４ａの形状と実質的に等しくすれば、この凹凸マークは実質的に形成されない。
（ｄ）脱型工程
硬化が終了後に型締機構により上下型（金型）を開放して任意の手法により封止成形体としての製品Ｐを取り出す。製品Ｐを取り出すには、例えば、吸盤などの吸着装置を用いるが、ノックアウトピンやエジェクタプレートを使って取り出してもよい。また、プランジャ３をモールド部４から突出できる構成とすれば、モールド部４の側面４ｂにぬき勾配が無くても容易に取り出すことができる。
【００５８】
また、図１１に示すように、進退機構６によりプランジャ３を下降（後退）させて製品Ｐを取り出すこともできる。これにより、下型１には成形品取り出し用のエジェクトピンなどの取出装置が無くても製品Ｐを取り出すことができる。
【００５９】
得られた製品Ｐは、アンローダなどにより適宜、搬出・集積されて次工程に送り出される。また、金型の分割面のバリ・汚れ等がクリーナなどにより清掃され、次の成形サイクル工程の準備に移る。
【００６０】
以上説明した本発明の封止成形装置によれば、従来の樹脂封止体のように、ランナー部等に残留したランナ樹脂などの不要樹脂と成形品とを分離する、いわゆるゲートブレーク工程を経ずにゲートブレークされた樹脂封止体を得ることができ、これにより樹脂の歩留まりを高めて不要樹脂を排出することもない。また、得られた製品にはワイヤー流れが少ない良品を得ることができる。
【００６１】
以下に実施例に従い本発明の効果を説明するが、この発明は以下の実施例に制限されるものではない。
【００６２】
【実施例】
図１〜図１１に示す図に従う封止成形装置を用いて封止成形体を製造した。封止用樹脂としては、住友ベークライト（株）社製のエポキシ樹脂成形材料スミコン「ＥＭＥ−７７３０」（商品名）を用いた。
【００６３】
また、成形条件としては、攪拌ポット（攪拌カップ３２）の温度を１００℃、攪拌時間を３０秒、射出圧力を９ＭＰａ、射出時間を１２秒、金型温度（下型１、上型２の温度）を１７５℃を採用した。
【００６４】
金型としては、２４チップ／１フレームのチップサイズパッケージで一括成形用を用い、金線ボンディングされたリードフレームを金型にセットして成形し、封止された成形品について、未充填、外部ボイド、内部ボイド、ワイヤー流れを測定した。
【００６５】
比較として、一般的なミニタブレットを使用し、型内予熱４秒とし、他の成形条件は同一としたマルチトランスファー成形と、ミニタブレットを型内予熱４秒とし、圧縮成形を行ったＴＡＢ圧縮成形との比較を行った。
【００６６】
結果を併せて表１に示した。
【００６７】
【表１】
2004296962.tif 000003
【００６８】
＜測定方法＞
成形品の２０個を無作為に抽出し、以下の評価方法に従って測定した。
１．未充填（ショートショット）：目視で表面の未充填個所の有無を観察した。
２．外部ボイド：目視で表面のφ０．５ｍｍを超える大きさのボイドの有無を観察した。
３．内部ボイド：成形品に軟Ｘ線を照射してφ０．３ｍｍを超える大きさのボイドの有無を観察した。
【００６９】
なお、表１に示す数値は、分母は観察したパッケージ数（個数）であり、分子は異常が発生されたパッケージ数（個数）である。
４．ワイヤー流れ（金線変形）：成形品に軟Ｘ線を照射して、ボンデイングワイヤ（２５μｍ径、長さ２．８ｍｍのセミハード金線）の変形量を測定した。半導体（ＩＣ）素子端面とリード端子のボンデイング間の距離に対する最大ワイヤ変形量の比を％で示した。なお、表１における数値は１８チップの最大変形量の平均で示している。
【００７０】
以上、この発明の実施の形態を図面により詳述してきたが、具体的な構成はこの実施の形態に限らず、この発明の要旨を逸脱しない範囲の設計の変更等があってもこの発明に含まれる。
【００７１】
さらに、本発明の製造方法によれば、製造工程のインライン化されて半導体装置の製造工程が全自動化された場合にも、封止工程をインラインで行うことが可能である。
【００７２】
【発明の効果】
以上説明してきたように、この発明によれば、封止部材中での溶融樹脂の流れ方向は、封止部材に略直交する方向であり、樹脂が均一に溶融されていること及び流れるべき樹脂量が少ないことなどに起因して、封止部材の周辺の溶融樹脂の流速が遅くてよく、封止部材にワイヤーの極細線が装填されていてもワイヤー流れが生じない、更に、金型内に樹脂を受け入れた後のプレヒート工程時間の短縮、成形サイクルの短縮、樹脂廃棄量の大幅削減などが可能な封止成形装置及びそれを用いた樹脂封止体の製造方法が提供できる、という実用上有益な効果を発揮する。
【図面の簡単な説明】
【図１】本発明の実施の形態に係る封止成形装置の下型の要部を示す平面図である。
【図２】図１の下型のＸ−Ｘ線で切断した場合の断面図である。
【図３】本発明の実施の形態に係る封止成形装置の側面を示す説明図である。
【図４】図３のＡ矢視図である。
【図５】図３のＢ矢視図である。
【図６】図３のＣ矢視図である。
【図７】本発明の実施の形態に係る封止成形装置による封止の一工程である溶融樹脂ＭＲ供給後の下型の状況を説明する平面図である。
【図８】本発明の実施の形態に係る封止成形装置による封止の一工程である型締め後の状況を断面により説明する説明図である。
【図９】本発明の実施の形態に係る封止成形装置による封止の一工程である圧縮成形工程を断面により説明する説明図である。
【図１０】図９により成形された成形品の形状を説明するための下型１を型開きした状態を平面により説明する説明図である。
【図１１】本発明の実施の形態に係る封止成形装置による封止の一工程である脱型工程を説明するの説明図である。
【図１２】従来の封止成形装置による封止の工程を断面により説明する説明図である。
【図１３】従来の封止成形装置による封止の工程を断面により説明する説明図
【符号の説明】
１…下型ブロック
２…上型ブロック
３…成形プランジャ
３ａ…先端面
４…キャビティ成形部（モールド部）
４ａ…底面
４ｂ…側面
５…貫通部
６…進退機構
７…樹脂受入部
２０…樹脂材料の供給装置
２１…計量ユニット
２５…計量ポット
３１…撹拌ユニット
３２…撹拌カップ
３７…プランジャ
３７ａ…撹拌棒
４１…供給ユニット
４５…上下動用モータ
５１…移動ユニット
５２…移動用モータ
６１…成形金型（下型）
【図１】
2004296962.tif 000004
【図２】
2004296962.tif 000005
【図３】
2004296962.tif 000006
【図４】
2004296962.tif 000007
【図５】
2004296962.tif 000008
【図６】
2004296962.tif 000009
【図７】
2004296962.tif 000010
【図８】
2004296962.tif 000011
【図９】
2004296962.tif 000012
【図１０】
2004296962.tif 000013
【図１１】
2004296962.tif 000014
【図１２】
2004296962.tif 000015
【図１３】
2004296962.tif 000016